(57)【要約】【課題】  床暖房部分の床面とこれに隣接する部分の床面に連続するように床材を貼るものでも弊害なく床暖房できると共に遮音性能や足触り感を得ることができるようにする。【解決手段】  床暖房部分Ａの床面とこの床暖房部分Ａに隣接した非床暖房部分Ｂの床面とに床材４を連続して敷設した床の構造である。前記床暖房部分Ａでは床下地２上に敷設した床暖房マット３の上に制振材非介在で床材４を敷設する。前記非床暖房部分Ｂでは床材４の裏面に裏打ちした制振材６を介して床下地２上に床材４を敷設する。【選択図】        図２
2005264570.tif 000002
【特許請求の範囲】
【請求項１】
床暖房部分の床面とこの床暖房部分に隣接した非床暖房部分の床面とに床材を連続して敷設した床の構造であって、前記床暖房部分では床下地上に敷設した床暖房マットの上に制振材非介在で床材を敷設し、前記非床暖房部分では床材の裏面に裏打ちした制振材を介して床下地上に床材を敷設したことを特徴とする床の構造。
【請求項２】
床暖房部分としての居室の床面とこの居室に隣接する非床暖房部分としての非居室の床面とに連続するように床材を敷設し、制振材を介在しない部分と制振材を介在する部分との境を居室と非居室の境界部として成ることを特徴とする請求項１記載の床の構造。
【請求項３】
床暖房部分の床面とこの床暖房部分に隣接した非床暖房部分の床面に床材を連続して敷設して床を施工する方法であって、前記床暖房部分では裏面側に制振材のない床材を床下地上に敷設した床暖房マット上に敷設し、前記非床暖房部分では裏面側に制振材を裏打ちした床材を床下地上に敷設することを特徴とする床の施工方法。
【請求項４】
床暖房部分の床面とこの床暖房部分に隣接した非床暖房部分の床面に床材を連続して敷設して床を施工する方法であって、前記床暖房部分では裏面側に制振材のない床材を床下地上に敷設した床暖房マット上に敷設し、前記非床暖房部分では裏面側に制振材を裏打ちした床材を床下地上に敷設し、前記床暖房部分と前記非床暖房部分との間では床材の裏面に裏打ちした制振材を床暖房部分に対応する部分だけ部分的に剥がして敷設することを特徴とする床の施工方法。
【請求項５】
床暖房部分の床面とこの床暖房部分に隣接した非床暖房部分の床面に床材を連続して敷設して床を施工する方法であって、前記床暖房部分では裏面側に制振材のない床材を床下地上に敷設した床暖房マット上に敷設し、前記非床暖房部分では裏面側に制振材を裏打ちした床材を床下地上に敷設し、前記床暖房部分と非床暖房部分との間では床材の裏面の非床暖房部分に対応する部分にだけ制振材を部分的に貼り付けた床材を敷設することを特徴とする床の施工方法。
【発明の詳細な説明】
【技術分野】
【０００１】
本発明は、床暖房するときに木質床材のような床材を敷設して施工する床の構造及びその床を施工する方法に関するものであり、特にマンションのような集合住宅に適した床の構造及び床の施工方法に関するものである。
【背景技術】
【０００２】
一般にマンションのような集合住宅では、コンクリートスラブのような床下地に木質床材のような床材が直貼りされるが、床材を単に直貼りすると遮音性能や足触り感に問題があるため床材の裏面側に制振材を裏打ちした防音床材が敷設される。
【０００３】
また部屋によっては床暖房する部屋１があり、床暖房する部屋１では図６に示すように床下地２の上に温水配管を施した温水マットのような床暖房マット３が敷設され、その上に床材４が敷設される。床材４を敷設するときは床暖房する部屋１の床面と床暖房する部屋１に隣接する廊下５等の床面とに床材４を連続的に並べて外観よく施工することが行われている。また遮音性能や足触り感をよくするためには床材４の裏面に制振材６を裏打ちした防音床材Ｆが敷設される（例えば、特許文献１参照）。
【特許文献１】特開平８−１７０８３３号公報
【発明の開示】
【発明が解決しようとする課題】
【０００４】
ところが、上記のように床暖房する部屋１の床面と廊下５等の床面とに床材４を連続的に並べて施工する場合、遮音性能や足触り感を考慮して床材４の裏面側に制振材６を裏打ちした防音床材Ｆが床暖房する部屋１と廊下５等とに全面に亙って敷設される。このため床暖房するための床暖房マット３の上にも防音床材Ｆが貼られることとなり、床暖房マット３と床材４との間に制振材６が介装されるために制振材６の断熱性によって床暖房マット３から床材４への伝熱性が悪く、床暖房の弊害となるという問題があった。
【０００５】
本発明は上記の従来の問題点に鑑みて発明したものであって、床暖房する部分の床面とこれに隣接する部分の床面に連続するように床材を貼るものでも弊害なく床暖房できると共に遮音性能や足触り感を得ることができ、しかも床暖房する部分で制振材を設けず、床暖房しない部分では制振材を設ける施工が容易にできる床の構造及び床の施工方法を提供することを課題とするものである。
【課題を解決するための手段】
【０００６】
上記課題を解決するために本発明の請求項１の床の構造は、床暖房部分Ａの床面とこの床暖房部分Ａに隣接した非床暖房部分Ｂの床面とに床材４を連続して敷設した床の構造であって、前記床暖房部分Ａでは床下地２上に敷設した床暖房マット３の上に制振材非介在で床材４を敷設し、前記非床暖房部分Ｂでは床材４の裏面に裏打ちした制振材６を介して床下地２上に床材４を敷設したことを特徴とする。
【０００７】
また本発明の請求項２の床の構造は、請求項１において、床暖房部分Ａとしての居室の床面とこの居室に隣接する非床暖房部分Ｂとしての非居室の床面とに連続するように床材４を敷設し、制振材６を介在しない部分と制振材６を介在する部分との境を居室と非居室の境界部として成ることを特徴とする。
【０００８】
また本発明の請求項３の床の施工方法は、床暖房部分Ａの床面とこの床暖房部分Ａに隣接した非床暖房部分Ｂの床面に床材４を連続して敷設して床を施工する方法であって、前記床暖房部分Ａでは裏面側に制振材６のない床材４を床下地２上に敷設した床暖房マット３上に敷設し、前記非床暖房部分Ｂでは裏面側に制振材６を裏打ちした床材４を床下地２上に敷設することを特徴とする。
【０００９】
また本発明の請求項４の床の施工方法は、床暖房部分Ａの床面とこの床暖房部分Ａに隣接した非床暖房部分Ｂの床面に床材４を連続して敷設して床を施工する方法であって、前記床暖房部分Ａでは裏面側に制振材６のない床材４を床下地２上に敷設した床暖房マット３上に敷設し、前記非床暖房部分Ｂでは裏面側に制振材６を裏打ちした床材４を床下地２上に敷設し、前記床暖房部分Ａと前記非床暖房部分Ｂとの間では床材４の裏面に裏打ちした制振材６を床暖房部分Ａに対応する部分だけ部分的に剥がして敷設することを特徴とする。
【００１０】
また本発明の請求項５の床の施工方法は、床暖房部分Ａの床面とこの床暖房部分Ａに隣接した非床暖房部分Ｂの床面に床材４を連続して敷設して床を施工する方法であって、前記床暖房部分Ａでは裏面側に制振材６のない床材４を床下地２上に敷設した床暖房マット３上に敷設し、前記非床暖房部分Ｂでは裏面側に制振材６を裏打ちした床材４を床下地２上に敷設し、前記床暖房部分Ａと非床暖房部分Ｂとの間では床材４の裏面の非床暖房部分Ｂに対応する部分にだけ制振材６を部分的に貼り付けた床材４を敷設することを特徴とする。
【００１１】
上記構成によれば、床暖房部分Ａでは制振材６を介さずに床材４を床暖房マット３の上に貼ることで床暖房マット３から床材４への伝熱性を向上できて弊害なく床暖房でき、また非床暖房部分Ｂでは制振材６を介して床材４を貼ることで遮音性能や良好な足触り感が得られる。また床暖房部分Ａでは裏面側に制振材６のない床材４を敷設し、非床暖房部分Ｂでは制振材６を裏打ちした床材４を敷設するが、床暖房部分Ａと非床暖房部分Ｂとの間では床材４の裏面に裏打ちした制振材６を床暖房部分Ａに対応する部分だけ部分的に剥がして敷設したり、また床材４の裏面の非床暖房部分Ｂに対応する部分にだけ制振材６を部分的に貼り付けた床材４を敷設したりすることで、床暖房部分Ａと非床暖房部分Ｂとに亙って床材４を連続するように敷設する場合でも、床暖房部分Ａには全面に亙って制振材６がなく、非床暖房部分Ｂには全面に亙って制振材６を介装するように簡単に施工できる。
【発明の効果】
【００１２】
本発明は叙述の如く構成されているので、床暖房部分では制振材がなくて床材への伝熱性を向上できて弊害なく床暖房できるという効果があり、また非床暖房部分では制振材を介して床材を貼ることで遮音性能や良好な足触り感が得られるという効果があり、また床暖房部分と非床暖房部分とに亙って床材を連続するように敷設するものでも、床暖房部分には全面に亙って制振材がなく、非床暖房部分には全面に亙って制振材を介装するように簡単に施工できるという効果がある。
【発明を実施するための最良の形態】
【００１３】
以下、本発明を添付図面に示す実施形態に基いて説明する。
【００１４】
本発明の床を施工する建物はマンションのような集合住宅であり、床暖房部分Ａは本例の場合、例えば、居室としてのＬＤのような部屋１であり、床暖房部分Ａに隣接する非床暖房部分Ｂは本例の場合、例えば、非居室としての廊下５である。本例の場合、建物はマンションのような集合住宅のため、床下地２はコンクリートスラブであり、床暖房する部屋１の床下地２が床暖房マット３の厚さ分だけ低くなっている。
【００１５】
床暖房するための床暖房マット３は本例の場合、温水床暖房マット３ａであり、ポリスチレン発泡体のような樹脂発泡体の基材７に架橋ポリエチレンパイプのような樹脂パイプ８を埋設してあり、樹脂パイプ８に温水を流すことにより床暖房できるようになっている。床暖房する部屋１では床下地２の上に床暖房マット３が並べて敷設される。この部屋１の床暖房マット３を敷設しない周辺部には床暖房マット３と同じ厚さの装填物９が装填される。この装填物９としては上記基材７と同じ材料からなるダミーマット９ａが一般的に用いられる。
【００１６】
床材４は木質床材であって、細長い矩形板状に形成されている。木質床材は合板のような基材の表面に突き板のような表面材を貼って形成されている。細長い床材４は隣り合う２辺に沿って雌実１０を設けてあり、残りの２辺に雌実１０に実結合する雄実１１を設けてある。この床材４は床面に敷設するとき千鳥状に並べて敷設され、隣り合う床材４同士は雌実１０と雄実１１の実結合にて接続される。上記の床暖房する部屋１と廊下５とに床材４を敷設するとき、床材４が両方の部分に亙って連続するように敷設されるものである。
【００１７】
この床材４の裏面に制振材６を裏打すると、遮音性能や足触り感を向上できるが、本発明の場合、床材４の裏面側の全面に亙って制振材６を裏打ちした防音床材Ｆと、制振材６を裏打ちしない床材４だけの普通床材Ｆ′を用いて施工されるものである。床暖房する部屋１では普通床材Ｆ′が床暖房マット３や装填物９の上に並べて敷設され、廊下５では防音床材Ｆが並べて敷設される。床暖房する部屋１と廊下５との間に亙る部分では防音床材Ｆが用いられるが、図３に示すようにこの防音床材Ｆの床暖房する部屋１に対応する部分の制振材６が部分的に剥がして取り除かれ（この図で６ａは床材４の方に残す防振材であり、６ｂは取り除く防振材である）、床暖房する部屋１と廊下５とに亙るように敷設される。また他の例として、床暖房する部屋１と廊下５とに亙る部分では普通床材Ｆ′が用いられ、図４に示すように廊下５に対応する部分にだけその面積に応じて切断した制振材６ｃが貼り付けられ、この制振材６ｃを部分的に貼った普通床材Ｆ′が床暖房する部屋１と廊下５とに亙って敷設される。上記のように施工されたとき、制振材６が介在されない部分と制振材６が介在される部分の境は居室としての部屋１と非居室としての廊下５との境界である。
【００１８】
上記のように床を施工することにより、廊下５では全面に亙って床材４の裏面側に制振材６を裏打ちしているために遮音性能があると共に足触り感がよい。また床暖房する部屋１では床暖房マット３に床材４を敷設して制振材６を介装していないために床暖房マット３から床材４への伝熱性がよくなって床暖房の弊害を生じない。また床暖房マット３の基材７や装填物９に制振性を持たせると、床暖房マット３や装填物９に床材４を貼っても遮音性能や足触り感を向上できる。つまり、従来の床暖房マット３の基材７や装填物９はかなり剛性の高いものであるが、素材を変えたり、発泡倍率を変えたりして制振性を持たすことが可能である。また床暖房する部屋１と廊下５とに連続して千鳥状に床材４を敷設するために床暖房する部屋１と廊下５に亙る床材４であっても廊下５に対応する部分だけに制振材６があるように容易に施工できる。
【００１９】
なお、上記例では床暖房部分ＡとしてＬＤのような部屋１、床暖房部分Ａに隣接する非床暖房部分Ｂとして廊下５の例について述べたが、床暖房部分ＡはＬＤ以外の洋間であっても、非床暖房部分Ｂはキッチン、トイレルーム、脱衣所、その他の洋間であってもよい。
【００２０】
また図５に示すように部屋１の床暖房マット３を敷設する箇所を床暖房部分Ａとし、床暖房マット３を敷設する周辺部や廊下５を非床暖房部分Ｂとしてもよい。この場合、部屋１の周辺部も廊下５と同じ高さになるようにコンクリートスラブや合板のような床下地２を設けてある。ここで図５の二点鎖線で囲んだ符号Ｙに示す部分は床下地２として合板を設置してもよい部分である。そして床暖房マット３を敷設した部分に対応する部分だけ制振材６を介在せずに床材４を敷設してあり、部屋１の周辺部や廊下５では制振材６を介在して床下地２の上に床材４を敷設してある。
【００２１】
なお、床暖房マット３は上記例で述べた温水床暖房マット３ａ以外に、電気ヒータや発熱体を埋め込んだ電気式床暖房マットであってもよい。
【図面の簡単な説明】
【００２２】
【図１】本発明の実施の形態の一例の一部省略平面図である。
【図２】同上のＸ−Ｘ線断面図である。
【図３】床材を施工する状態を説明する分解断面図である。
【図４】同上の床材を施工する状態の他の例を説明する分解断面図である。
【図５】同上の更に他の例の断面図である。
【図６】従来例を示す断面図である。
【符号の説明】
【００２３】
Ａ  床暖房部分
Ｂ  非床暖房部分  
２  床下地
３  床暖房マット
４  床材
６  制振材
【図１】
2005264570.tif 000003
【図２】
2005264570.tif 000004
【図３】
2005264570.tif 000005
【図４】
2005264570.tif 000006
【図５】
2005264570.tif 000007
【図６】
2005264570.tif 000008